(57)【要約】      （修正有）【課題】人体の経穴および器官を押圧して、これにより、血液循環の刺激や筋肉・関節の弛緩（リラックス）等の治療・健康管理効果を達成し、血液および生命エネルギーを調和させ、筋肉および骨を回復させ、痛みを緩和し、炎症を軽減すること等ができる、調整可能な経穴・器官押圧装置を提供する。【解決手段】ロッド１と、ロッドの一方の端部に装着される第一押圧部材２と、ロッドの他方の端部に装着されるとともに、第一押圧部材に面する第二押圧部材４が配置される調整ユニットと、を有する。調整ユニットは、フレーム３０と、調整ハンドル３４と、を有し、調整ハンドルは、調整ユニットとフレームとの間のバネを介してヒンジ接続される。また、調整ユニットは、フレームにヒンジ接続された微調整ハンドル３１を有し、フレームと微調整ハンドルとの間に、微調整のための微調整プレート３２と微調整バネ３３とを有する。【選択図】図１ｂ
0003201821.tif 000002
【実用新案登録請求の範囲】
【請求項１】
（ａ）ロッドと、
（ｂ）前記ロッドの第一端部に取り付けられた第一押圧部材と、
（ｃ）前記ロッドの第二端部に取り付けられた調整ユニットと、
（ｄ）前記調整ユニットに配置され、前記第一押圧部材に面する第二押圧部材と、
を備える調整可能な経穴・器官押圧装置であって、
（ｅ）前記調整ユニットが、フレームと、微調整ハンドルと、微調整プレートと、微調整バネと、を有し、前記フレームは、貫通する前記ロッドを受け付ける第一開口部を有し、前記微調整ハンドルの上端は前記フレームにヒンジ接続されており、前記微調整ハンドルには、前記ロッドが通るためのトラフが形成されており、前記微調整プレートは、前記微調整ハンドルと前記フレームとの間に装着されるとともに、前記ロッドが通るための第二開口部が形成されており、前記微調整バネは、前記微調整プレートの前記第二開口部が前記ロッドに対して傾斜し前記ロッドと係合するロック位置に、前記微調整プレートを付勢するように、前記微調整プレートと前記フレームとの間で前記ロッドに装着され、
（ｆ）前記調整ユニットは、調整ハンドルと調整バネとを更に備えており、前記調整ハンドルには、前記ロッドが通るための第三開口部が形成されており、前記調整ハンドルの上端は前記フレームにヒンジ接続されており、前記調整バネは、前記調整ハンドルの前記第三開口部が前記ロッドに対して傾斜し前記ロッドと係合するロック位置に、前記調整ハンドルを付勢するために、前記調整ハンドルと前記フレームとの間に装着されている、
調整可能な経穴・器官押圧装置。
【請求項２】
前記第一押圧部材および前記第二押圧部材にはそれぞれ、円弧状凹部が形成されており、第一押圧凸部が前記第一押圧部材の前記円弧状凹部の凹状面から突出しており、３つの第二押圧凸部が前記第二押圧部材の前記円弧状凹部の凹状面から突出しており、前記第一押圧凸部は、２つの前記第二押圧凸部間に形成された凹状溝に面している、
請求項１に記載の調整可能な経穴・器官押圧装置。
【請求項３】
前記ロッドの前記第一端部は前記ロッドに直交する第一延長ロッドを有しており、前記第一押圧部材は前記第一延長ロッドに装着されている、
請求項１に記載の調整可能な経穴・器官押圧装置。
【請求項４】
第二延長ロッドが前記フレームに接続されており、前記第二押圧部材が前記第二延長ロッドに装着されている、
請求項３に記載の調整可能な経穴・器官押圧装置。
【請求項５】
前記第一延長ロッド上の前記第一押圧部材の位置が調整可能であり、前記第二延長ロッド上の前記第二押圧部材の位置が調整可能である、
請求項４に記載の調整可能な経穴・器官押圧装置。
【請求項６】
前記第一押圧部材および前記第二押圧部材が経穴押圧装置を形成している、
請求項１に記載の調整可能な経穴・器官押圧装置。
【請求項７】
前記第一押圧部材および前記第二押圧部材は、硬質プラスチック材料または金属で形成されており、軟質プラスチック材料の層で被覆されている、
請求項１に記載の調整可能な経穴・器官押圧装置。
【請求項８】
前記ロッドの前記第一端部は基部を有し、前記第一押圧部材は前記基部に装着されている、
請求項１に記載の調整可能な経穴・器官押圧装置。
【請求項９】
前記フレームは長さ調整可能な伸長可能フレームを有しており、前記第二押圧部材は前記伸長可能フレームに装着されている、
請求項１に記載の調整可能な経穴・器官押圧装置。
【請求項１０】
支持部と、
複数の、前記支持部に装着される請求項１に記載の調整可能な経穴・器官押圧装置と、
を備える調整可能な経穴・器官押圧システム。
【考案の詳細な説明】
【技術分野】
【０００１】
本願は、調整可能な経穴・器官押圧装置に関する。
【背景技術】
【０００２】
人体の経穴(acupoints)や器官（organs）の押圧は、理学療法における古くからの方法である。古い中国医学の文献には、人体の種々の部分の疾患を治すために、木、石および硬い骨が、経穴の押圧(acupoint-pressing)、押圧(pressing)、前後に押したり引っ張ったりする(pushing and pulling back and forth)することに用いられたことが、長きにわたり記録されている。
【０００３】
１９８０年代に、様々な国々の科学者は、人体における経絡(meridians)および経穴が実在することを証明するために、音、光、電熱、アイソトープならびに他の生物物理学、および生理学的方法を用いた。これらの経穴は筋肉筋膜(muscle fasciae)に位置する。経絡は、血液および気(qi)（生命エネルギー）が循環する経路(pathways)である。経絡は、人体の全体にわたって四方八方に延び、経穴、経絡筋系(meridian musculatures)および経路(channels)を通って、体の四肢や骨と同様に種々の器官につながっている。
【０００４】
督脈経絡(Governing meridians)は、人体の１４の経絡を制御する。それらは体の頭部で連結する陽(Yang)の経絡である。足の太陽膀胱経(Foot-Taiyang-Bladder meridian)は、体の重要な器官の経穴が位置する場所である。さらに、手首は、手の３つの陰(Yin)経絡および３つの陽経絡の始点である。足は、足の３つの陰経絡および３つの陽経絡の始点である。１４の経絡は、体の種々の部分を覆っている。それらは、身体の関節、筋肉、神経、器官および四肢の各種疾患および痛みを防ぎ、治すことができる。
【０００５】
今日、多くの治療器具や健康管理器具がある。これらの器具は、解剖学および経絡システムを利用する、医療機能および健康管理機能を有する。例えば、磁気療法装置、刺鍼術・吸引カップ装置(acupuncture and suction cup devices)、体を叩く装置および身体ストレッチング装置などがある。これらの製品を動作させるには、一定の専門的知識が必要とされる。例えば、これらでは、ユーザが、人体で経穴を特定する必要がある。さらに、これらは通常、１つの経穴または経絡の一部に向けられる。これらの器具は全身に向けた総合的な医療・健康管理手段ではないので、これらの器具では満足な成果が得られない。これらの既存の医療・健康管理用品は、疾患を治療するという所期の効果を達成することができない。したがって、医療・健康管理装置の向上が求められている。
【０００６】
上記の背景技術の説明は調整可能な経穴・器官押圧装置の理解を助けるためのものであって、調整可能な経穴・器官押圧装置に関係する従来技術を説明あるいは構成することを自認するものではなく、引用した引用文献が本願の実用新案請求の範囲の特許性に対して重要であると見なすことを自認するものではない。
【考案の概要】
【考案が解決しようとする課題】
【０００７】
人体の経穴および器官を押圧して、これにより、血液循環の刺激や筋肉・関節の弛緩（リラックス）等の治療・健康管理効果を達成し、血液および生命エネルギーを調和させ、筋肉および骨を回復させ、痛みを緩和し、炎症を軽減すること等ができる、調整可能な経穴・器官押圧装置を提供することを目的とする。
【課題を解決するための手段】
【０００８】
この調整可能な経穴・器官押圧装置は、押圧力を調整し、人体の種々の経穴および器官を押圧することができる利点を有する。また、人体の血液循環に悪影響を与えない。
【０００９】
本願は、
（ａ）ロッドと、
（ｂ）ロッドの第一端部に取り付けられた第一押圧部材と、
（ｃ）ロッドの第二端部に取り付けられた調整ユニットと、
（ｄ）調整ユニットに配置され、第一押圧部材に面する第二押圧部材と、
を備え、
調整ユニットが、フレームと微調整ハンドルとを有することができ、
フレームは、貫通するロッドを受け入れる第一開口部を有することができ、
微調整ハンドルの上端はフレームにヒンジ接続でき、
微調整ハンドルに、ロッドが通るためのトラフを形成できる、
調整可能な経穴・器官押圧装置に対してなされたものである。
【００１０】
調整ユニットは、微調整プレートと微調整バネとを更に有することができる。微調整プレートを微調整ハンドルとフレームとの間に装着できるとともに、微調整プレートにロッドが通るための第二開口部を形成できる。微調整プレートの第二開口部がロッドに対して傾斜しロッドと係合するロック位置に、微調整プレートを付勢するように、微調整バネを、微調整プレートとフレームとの間でロッドに装着できる。
【００１１】
調整ユニットは、調整ハンドルと調整バネとを更に有することができる。調整ハンドルには、ロッドが通るための第三開口部を形成できる。調整ハンドルの上端をフレームにヒンジ接続できる。調整ハンドルの第三開口部がロッドに対して傾斜しロッドと係合するロック位置に、調整ハンドルを付勢するように、調整バネを、調整ハンドルとフレームとの間に装着できる。
【００１２】
一の実施形態において、第一押圧部材および第二押圧部材にはそれぞれ、円弧状凹部を形成でき、第一押圧凸部が第一押圧部材の円弧状凹部の凹状面から突出しており、２つの第二押圧凸部が第二押圧部材の円弧状凹部の凹状面から突出しており、第一押圧凸部は２つの第二押圧凸部間に形成された凹状溝に面することができる。
【００１３】
一の実施形態において、ロッドの第一端部はロッドに直交する第一延長ロッドを有することができる。第一押圧部材を第一延長ロッドに装着することができる。
【００１４】
一の実施形態において、第二延長ロッドをフレームに接続できる。第二押圧部材を第二延長ロッドに装着することができる。
【００１５】
一の実施形態において、第一延長ロッド上の第一押圧部材の位置を調整可能とできる。第二延長ロッド上の第二押圧部材の位置も調整可能とできる。
【００１６】
一の実施形態において、第一押圧部材および第二押圧部材が経穴押圧装置を形成することができる。
【００１７】
一の実施形態において、第一押圧部材および第二押圧部材は、硬質プラスチック材料または金属で形成可能であり、軟質プラスチック材料の層で被覆される。
【００１８】
一の実施形態において、ロッドの第一端部は基部を有することができる。第一押圧部材を基部に装着することができる。
【００１９】
一の実施形態において、フレームは長さ調整可能な伸長可能フレームを有することができる。第二押圧部材を伸長可能フレームに装着することができる。
【００２０】
一の実施形態において、ロッドは第一ロッドと第二ロッドとを含むことができる。調整ユニットは、第一ロッドに装着される第一調整ユニットと、第二ロッドに装着される第二調整ユニットと、を含むことができる。第一調整ユニットは第一フレームを有することができ、第二調整ユニットは第二フレームを有することができる。第一押圧部材の２つの端部が、第一ロッドの端部と第二ロッドの端部とにそれぞれ接続される。第二押圧部材の２つの端部が、第一フレームと第二フレームとにそれぞれ接続される。
【００２１】
他の態様では、本願は、
（ａ）ロッドと、
（ｂ）ロッドの下端に取り付けられた下部クランピングブロックと、
（ｃ）ロッドに装着される上部調整ユニットおよび下部調整ユニットと、
（ｄ）下部調整ユニットに装着される上部クランピングブロックであって、上部クランピングブロックおよび下部クランピングブロックがクランピング装置を形成している上部クランピングブロックと、
（ｅ）上部調整ユニットに接続される延長ロッドと、
（ｆ）延長ロッドに装着される押圧部材と、
を備え、
上部調整ユニットおよび下部調整ユニットのそれぞれは、フレームと微調整ハンドルとを有することができ、
フレームは、貫通するロッドを受け入れる第一開口部を有することができ、
微調整ハンドルの上端をフレームにヒンジ接続でき、
微調整ハンドルには、ロッドが通るためのトラフを形成することができる、
調整可能な経穴・器官押圧装置に対してなされたものである。
【００２２】
一の実施形態において、押圧部材を経穴押圧装置とすることができる。
【００２３】
一の実施形態において、延長ロッド上の押圧部材の位置を調整可能とすることができる。
【００２４】
さらに他の態様において、本願は、支持部と、支持部に装着される複数の調整可能な経穴・器官押圧装置と、を備える調整可能な経穴・器官押圧システムであって、複数の調整可能な経穴・器官押圧装置のそれぞれが、
（ａ）ロッドと、
（ｂ）ロッドの第一端部に取り付けられた第一押圧部材と、
（ｃ）ロッドの第二端部に取り付けられた調整ユニットと、
（ｄ）調整ユニットに配置され、第一押圧部材に面する第二押圧部材と、
を備え、
調整ユニットが、フレームと微調整ハンドルとを有することができ、
フレームは、貫通するロッドを受け入れる第一開口部を有することができ、
微調整ハンドルの上端はフレームにヒンジ接続でき、
微調整ハンドルには、ロッドが通るためのトラフを形成することができる、
調整可能な経穴・器官押圧システムに対してなされたものである。
【００２５】
一の実施形態において、調整ユニットは、微調整プレートと微調整バネとを更に有することができる。微調整プレートを、微調整ハンドルとフレームとの間に装着できるとともに、微調整プレートにロッドが通るための第二開口部を形成できる。微調整プレートの第二開口部がロッドに対して傾斜しロッドと係合するロック位置に、微調整プレートを付勢することように、微調整バネを、微調整プレートとフレームとの間でロッドに装着できる。
【００２６】
一の実施形態において、調整ユニットは、調整ハンドルと調整バネとを更に有することができる。調整ハンドルには、ロッドが通るための第三開口部を形成できる。調整ハンドルの上端はフレームにヒンジ接続できる。調整ハンドルの第三開口部がロッドに対して傾斜しロッドと係合するロック位置に、調整ハンドルを付勢するように、調整バネを、調整ハンドルとフレームとの間に装着できる。
【００２７】
システムは、手を載せるプレートを更に有することができる。手を載せるプレートの一方の端部を支持部にヒンジ接続でき、また、手を載せるプレートの他方の端部をロッドにヒンジ接続することができる。
【００２８】
一の実施形態において、手を載せるプレートの傾斜の角度は、ロッドと調整ユニットとの相対的な位置の調整を通じて調整可能とできる。
【００２９】
いくつかの実施形態を参照して調整可能な経穴・器官押圧装置を示し説明するが、当業者は本明細書を読み、理解することによって均等物および変形物を当然思いつくであろう。本願の調整可能な経穴・器官押圧装置は、そのような均等物や変形物をすべて含むものであって、実用新案登録請求の範囲によってのみ規定される。
【００３０】
例として、調整可能な経穴・器官押圧装置の具体的な実施形態を、添付の図面を参照して説明する。
【図面の簡単な説明】
【００３１】
【図１ａ】調整可能な経穴・器官押圧装置の第一実施形態の斜視図である。
【図１ｂ】調整可能な経穴・器官押圧装置の第一実施形態の分解組立図である。
【図１ｃ】調整可能な経穴・器官押圧装置の第一実施形態の第一押圧部材の斜視図である。
【図１ｄ】調整可能な経穴・器官押圧装置の第一実施形態の第二押圧部材の斜視図である。
【図１ｅ】調整可能な経穴・器官押圧装置の第一実施形態の人体への応用を示す例示的な図である。
【図２ａ】調整可能な経穴・器官押圧装置の第二実施形態の斜視図である。
【図２ｂ】調整可能な経穴・器官押圧装置の第二実施形態の人体への応用を示す例示的な図である。
【図３ａ】調整可能な経穴・器官押圧装置の第三実施形態の斜視図である。
【図３ｂ】調整可能な経穴・器官押圧装置の第三実施形態の分解組立図である。
【図３ｃ】調整可能な経穴・器官押圧装置の第三実施形態の人体への応用を示す例示的な図である。
【図４ａ】調整可能な経穴・器官押圧装置の第四実施形態の斜視図である。
【図４ｂ】調整可能な経穴・器官押圧装置の第四実施形態の人体への応用を示す例示的な図である。
【図５ａ】調整可能な経穴・器官押圧装置の第五実施形態の斜視図である。
【図５ｂ】調整可能な経穴・器官押圧装置の第五実施形態の分解組立図である。
【図５ｃ】調整可能な経穴・器官押圧装置の第五実施形態の人体への応用を示す例示的な図である。
【図６ａ】調整可能な経穴・器官押圧装置の第六実施形態の斜視図である。
【図６ｂ】調整可能な経穴・器官押圧装置の第六実施形態の人体への応用を示す例示的な図である。
【図７ａ】調整可能な経穴・器官押圧装置の第七実施形態の斜視図である。
【図７ｂ】調整可能な経穴・器官押圧装置の第七実施形態の分解組立図である。
【図７ｃ】調整可能な経穴・器官押圧装置の第七実施形態の人体への応用を示す例示的な図である。
【図８ａ】調整可能な経穴・器官押圧装置の第八実施形態の斜視図である。
【図８ｂ】調整可能な経穴・器官押圧装置の第八実施形態の人体への応用を示す例示的な図である。
【考案を実施するための形態】
【００３２】
次に、調整可能な経穴・器官押圧装置の１の好ましい実施形態を詳細に説明する。また、以下に、実施形態の例を示す。調整可能な経穴・器官押圧装置の例示的な実施形態を詳細に説明するが、調整可能な経穴・器官押圧装置の理解に特に重要でない特徴は、簡略化のために示していないことは当業者には明らかであろう。
【００３３】
また、調整可能な経穴・器官押圧装置は、後述する詳細な実施形態に限定されず、本考案の精神あるいは実用新案登録請求の範囲を逸脱することなく種々の変形および変更を当業者によってなしうることは、理解されよう。例えば、種々の例示的な実施形態の要素および／または特徴を、本開示および添付の実用新案登録請求の範囲内で、互いに組み合わせること、および／または互いと置き換えることができる。
【００３４】
本開示、図面および添付の実用新案登録請求の範囲から当業者にとって明らかとなる改良や変形は、本考案の精神あるいは添付の実用新案登録請求の範囲の範囲内である。
【００３５】
調整可能な経穴・器官押圧装置の実施形態を詳細に説明する。これらの実施形態を添付図面に示す。同じ部材には、同じ参照符号をすべての図面にわたって用いる。
【００３６】
例示の目的のために、本考案に関して以降に用いられる語「前」、「後」、「最上部」、「底部」、「上端」、「下端」、「上部」および「下部」は、図面において配置されている状態で見て用いられている。本考案は、そうでないことを明らかに規定している場合を除いて、種々の位置を想定できることは理解されよう。さらに、図面に示す、また以下の説明で詳述する特定の装置は本考案の単なる例示的な実施形態であることは理解されよう。したがって、以下に開示される実施形態と関連する具体的な寸法および他の物理的特徴は、限定として考慮するべきではない。
【００３７】
さらに、語「第一」、「第二」などは、記載すべき特徴を区別するためにのみ用いられ、特徴の相対的な重要性を示すまたは含意することを意味しない。
【００３８】
＜第一実施形態＞
図１ａ〜１ｅは、本願の調整可能な経穴・器官押圧装置の第一実施形態を示す。本装置を人体の四肢に適用できる。本装置を、「イージー・ストレッチ・クランプ」と呼ぶことができる。一以上の調整可能な経穴・器官押圧装置を同時に用いることができる。
【００３９】
図１ａおよび図１ｂに示す通り、調整可能な経穴・器官押圧装置は、ロッド１と、第一押圧部材２と、調整ユニット３とを有することができる。第一押圧部材２は、ロッド１の一方の端部に装着される。調整ユニット３は、ロッド１の他方の端部に装着されるとともに、第一押圧部材２に面する第二押圧部材４が配置される。
【００４０】
ロッド１上の調整ユニット３の位置は、調整可能とできる。第二押圧部材４をフレーム３０上に配置することができる。これにより、第一押圧部材２と第二押圧部材４との間の距離が調整可能となり、その結果、本装置が種々の身体サイズに適合可能となり、また押圧力を調整することができる。
【００４１】
調整ユニット３は、フレーム３０と、微調整ハンドル３１と、微調整プレート３２と、微調整バネ３３と、調整ハンドル３４と、調整バネ３５とを有することができる。フレーム３０には、貫通するロッド１を受け入れる第一開口部３０１を形成することができる。微調整ハンドル３１の上端は、フレーム３０にヒンジ接続される。このヒンジ接続は取り外し可能である。微調整ハンドル３１には、ロッド１が通るためのトラフ（trough、谷部）３１１を形成することができる。微調整プレート３２を、微調整ハンドル３１とフレーム３０との間に配置することができる。微調整プレート３２には、ロッド１が通るための第二開口部３２１を形成することができる。微調整バネ３３は、フレーム３０と微調整プレート３２との間でロッド１に装着できる。微調整バネ３３は、微調整プレート３２の第二開口部３２１がロッド１に対して傾斜しロッド１と係合するロック位置に、微調整プレート３２を付勢するよう構成される。
【００４２】
調整ハンドル３４には、ロッド１が通るための第三開口部３４１を形成することができる。調整ハンドル３４の上端をフレームにヒンジ接続することができる。このヒンジ接続は取り外し可能である。調整ハンドル３４の第三開口部３４１がロッド１に対して傾斜しロッド１と係合するロック位置に、調整ハンドル３４を付勢するよう、調整バネ３５を、調整ハンドル３４とフレーム３０との間に設けることができる。
【００４３】
ロック位置においては、微調整バネ３３の付勢力により、微調整プレート３２は、微調整プレートの第二開口部３２１がロッド１に当接され押圧される傾斜位置にある。同時に、調整バネ３５は、第三開口部３４１がロッド１に押圧される傾斜位置に調整ハンドル３４を付勢し、これにより、調整ユニット３をロッド１上にロックする。
【００４４】
迅速な大まかな調整が必要とされる場合、ユーザは、調整ハンドル３４および微調整ハンドル３１をフレーム３０の方向に引っ張ることができ、これにより、調整ハンドル３４の第三開口部３４１および微調整プレート３２の第二開口部３２１をロッド１から離間させるとともにロッド１に沿ってスライドさせ、その結果、調整ユニット３を素早く調整し、大きな距離を移動させることができる。
【００４５】
微調整が必要とされる場合、例えば押圧力の微調整が必要とされる場合、フレーム３０の位置を微調整し、かつ押圧力を微調整するよう、ユーザは微調整ハンドル３１を引っ張ることができる。
【００４６】
人体の四肢によりぴったりと当接させるために、第一押圧部材２および第二押圧部材４には、人体の形状に対応する円弧状凹部２１，４１をそれぞれ配置することができる。押圧動作の際の触感をよくするために、軟質プラスチック材料の層を、第一押圧部材２および第二押圧部材４の表面上に配置することができる。
【００４７】
図１ａ、図１ｃおよび図１ｄに示す通り、押圧効果を高めるために、第一押圧凸部２１１を、第一押圧部材２の円弧状凹部２１の凹状面から突出させることができ、また、２つの第二押圧凸部４１１を、第二押圧部材４の円弧状凹部４１の凹状面から突出させることができる。第一押圧凸部２１１は、２つの第二押圧凸部４１１間に形成された凹状溝４１２に直接面することができる。
【００４８】
第一押圧凸部２１１および２つの第二押圧凸部４１１は、合わせて３つの押圧点または押圧領域を形成する。これらの３つの押圧点または押圧領域は、実質的に三角形状に配置され、これにより、押圧工程をより安定させることができる。これは、不規則形状の筋肉および骨を有する体の押圧に特に適している。
【００４９】
図１ｅは、調整可能な経穴・器官押圧装置の第一実施形態の人体への応用を示す。１以上の調整可能な経穴・器官押圧装置を、ユーザの条件に応じて用いることができる。
【００５０】
使用時には、ユーザはまず、調整ハンドル３４をフレーム３０の方向に引っ張る。これにより、第一押圧部材２と第二押圧部材４との間の距離が調整され、第一押圧部材２と第二押圧部材４との間にユーザの四肢の一部が挟持される。その後、微調整ハンドル３１を用いて、ユーザの四肢への押圧力を強めるとともに調整する。３つの押圧点または押圧領域が、四肢の押圧をより安定させるよう形成される。これにより、四肢の筋肉および神経が圧力に耐えられるよう、かつ、簡単に麻痺したり不快となったりすることがないよう、種々の不規則かつ略円筒形状を有する四肢をバランスよく締め付けることができる。
【００５１】
調整可能な経穴・器官押圧装置は、構造が簡単で、使いやすく安全であり、容易には壊れないであろう。調整可能な経穴・器官押圧装置は、環境に優しく、大量のエネルギーを消費することがない。調整可能な経穴・器官押圧装置は、経穴を押圧し、四肢の筋肉をリラックスさせるために用いることができる。調整可能な経穴・器官押圧装置は、痛みを緩和し、炎症を軽減し、筋肉をリラックスさせ、経絡を活性化させる医療効果を有することができる。また、調整可能な経穴・器官押圧装置は、膝およびテニス肘の痛みを取る理想的な効果を有する。調整可能な経穴・器官押圧装置は、治療期間を短縮し、早期に鎮痛を達成することができる。
【００５２】
＜第二実施形態＞
図２ａおよび図２ｂは、調整可能な経穴・器官押圧装置の第二実施形態を示す。本実施形態は、人体の手のひら(palm)のストレッチに用いられる。
【００５３】
調整可能な経穴・器官押圧装置は、腕を保持するための２つのイージー・ストレッチ・クランプ１００，２００が装着される支持部６を有することができる。イージー・ストレッチ・クランプ１００，２００の構造は、調整可能な経穴・器官押圧装置の第一実施形態の構造と同じであり、その説明を省略する。この第二実施形態は、手を載せるプレート７を更に有することができる。手を載せるプレート７の一方の端部は、支持部６にヒンジ接続することができ、また、他方の端部はロッド１にヒンジ接続することができる。調整ユニット３をロッド１に装着することができる。本実施形態における調整ユニット３の構造は、第一実施形態におけるものと同じである。調整ユニット３のフレーム３０を支持部６に接続することができる。手のひらに加えられる押圧力を変更するために、ロッド１と調整ユニット３との相対的な位置の調整を通じて、手を載せるプレート７の傾斜の角度を調整することができる。
【００５４】
例示の実施形態において、支持部６は、長方形の木製板の態様とすることができる。もちろん、支持部６をプラスチックまたは金属で形成することもできる。支持部６は、腕およびイージー・ストレッチ・クランプの支持点となる。支持部６は、前腕と、イージー・ストレッチ・クランプ１００，２００と、手を支持するプレート７と、を支持する。支持部６は、腕全体を支持し、イージー・ストレッチ・クランプ１００，２００を定位置に保持することができる。
【００５５】
イージー・ストレッチ・クランプ１００，２００は、腕を定位置に保持することができる。イージー・ストレッチ・クランプ１００，２００により、四肢の筋肉および神経が圧力に耐えられるよう、かつ、簡単に麻痺したり不快となったりすることがないよう、種々の不規則かつ略円筒形状を有する四肢をバランスよく締め付けることができる。
【００５６】
図２ｂは、調整可能な経穴・器官押圧装置の第二実施形態の人体の手首および手のひらへの応用を示す例示的な図である。使用時には、ユーザは、腕の手首を保持するために、支持部６の中央部に配置されるイージー・ストレッチ・クランプ１００を用いることができる。腕を定位置に保持するために、ユーザは、支持部６の一方の端部においてイージー・ストレッチ・クランプ２００を更に用いることができる。手のひらを上方へまたは下方へ向けて、手を支持するプレート７に載せることができる。手のひらの手首・指骨(carpophalangeal)領域を押圧するよう、ロッド１と調整ユニット３との相対的な位置の調整を通じて、手を支持するプレート７の傾斜の角度を調整することができる。
【００５７】
解剖学体系(anatomical system)によれば、手のひらの内側は、長掌筋(long palmar muscle)を有し、また、手首の橈尺骨(wrist’s radioulna)は、肘から手根骨(wrist bone)に延びる屈筋腱(flexor tendon)を有する。手のひらの外側は、手首橈尺骨から橈骨手根関節(wrist joint)の最遠端部に延びる伸筋腱(extensor tendon)を有する。また、橈尺骨の中間部分は指屈筋腱(finger flexor tendon)を有する。ストレッチ時、手首の機能を向上することができ、手首の筋肉をリラックスさせることができ、血液の循環を向上することができる。調整可能な経穴・器官押圧装置は、腕の押圧および筋肉のストレッチを行うよう、調整することができる。
【００５８】
調整可能な経穴・器官押圧装置は、痛みを緩和し、炎症を軽減し、筋肉をリラックスさせ、経絡を活性化させる医療的治療効果を有することができる。調整可能な経穴・器官押圧装置は、重い「手根管症候群(Carpal Tunnel Syndrome)」および手のひらの疾患の治療に理想的な効果を有することができる。調整可能な経穴・器官押圧装置は、治療の期間を短縮し、早期に鎮痛を達成することができる。
【００５９】
＜第三実施形態＞
図３ａ〜図３ｃは、調整可能な経穴・器官押圧装置の第三実施形態を示す。本実施形態は、人体の腰の押圧に対するものである。
【００６０】
調整可能な経穴・器官押圧装置は、２つのロッド１と、第一押圧部材２と、第二押圧部材４と、を有することができる。２つのロッド１のそれぞれは、ロッド１に装着される調整ユニット３有する。第一押圧部材２の２つの端部は、２つのロッド１の対応する端部にそれぞれ接続することができる。第二押圧部材４の２つの端部を、２つの調整ユニット３の２つのフレーム３０にそれぞれ接続することができる。
【００６１】
これにより、腰押圧装置を構成する。本実施形態における調整ユニット３の構造は、第一実施形態におけるものと同じである。
【００６２】
図３ｃは、調整可能な経穴・器官押圧装置の第三実施形態の人体の腰への応用を示す。まず、第一押圧部材２と第二押圧部材４との間の距離を調整するために、ユーザは、２つの調整ユニット３の調整ハンドル３４を引っ張る。そして、第一押圧部材２および第二押圧部材４を、頭または脚を通して身体の腰の周囲に配置することができる。身体の腰の周囲に第一押圧部材２および第二押圧部材４を配置した後、第一押圧部材２と第二押圧部材４との間との距離を縮めて腰の両側を締め付けて押圧できるように、ユーザは２つの調整ユニット３を調整することができる。押圧力の程度を、調整ユニット３の微調整ハンドル３１によって調整することができる。
【００６３】
適切な調整後、腰の押圧をより安定させるよう、３点を有する略円形フレームが形成される。これにより、腰の筋肉が圧力に耐えられるよう、かつ、簡単に麻痺したり不快となったりすることがないよう、種々の不規則かつ略円筒形状を有する腰をバランスよく締め付けることができる。本押圧装置は、構造が簡単で、使いやすく安全であり、容易には壊れないであろう。本押圧装置は、環境に優しく、大量のエネルギーを消費することがない。
【００６４】
第一押圧部材２および第二押圧部材４による腰の両側への押圧により、経穴が押圧され、腰の筋肉をリラックスさせることができる。本押圧装置は、痛みを緩和し、炎症を軽減し、筋肉をリラックスさせ、経絡を活性化させる医療効果を有することができる。また、本押圧装置は、腰の筋肉の張りおよび腰の疾患に理想的な効果を有することができる。本押圧装置は、治療の期間を短縮し、早期に鎮痛を達成することができる。
【００６５】
＜第四実施形態＞
図４ａおよび図４ｂは、調整可能な経穴・器官押圧装置の第四実施形態を示す。本実施形態は、人体の頭部の押圧に対するものである。
【００６６】
本装置のロッド１の一方の端部には、ロッド１に直交する延長ロッド１１を有することができる。第一押圧部材２を延長ロッド１１に装着することができる。調整ユニット３をロッド１の他方の端部に装着することができる。本実施形態における調整ユニット３の構造は、第一実施形態におけるものと同じである。調整ユニット３のフレーム３０には、第二延長ロッド３６を設けることができる。第二押圧部材４を第二延長ロッド３６に配置することができる。第一押圧部材２および第二押圧部材４は、互いに対向している。第一押圧部材２および第二押圧部材４は、人体の頭部を押圧するよう、頭部の形状に適合する円弧状凹部を有することができる。
【００６７】
図４ｂは、人体の頭部を押圧する押圧装置としての応用を示す。まず、第一押圧部材２と第二押圧部材４との間の距離を調整するために、ユーザは、調整ユニット３の調整ハンドル３４を引っ張る。こうして、第一押圧部材２および第二押圧部材４を、頭部の周囲に配置することができる。頭部の周囲に第一押圧部材２および第二押圧部材４を配置した後、ユーザは、頭部への押圧力の程度を調整するよう、調整ユニット３の微調整ハンドル３１を引っ張ることができる。
【００６８】
本実施形態の装置の第一押圧部材２および第二押圧部材４は、頭部の筋肉をリラックスさせるよう、頭部の経穴および側頭筋(temporal muscles)を押圧することができる。本実施形態の装置は、痛みを緩和し、炎症を軽減し、筋肉をリラックスさせ、経絡を活性化させる医療効果を有することができる。また、本実施形態の装置は、頭の両側部の腫れ(swelling)や痛みへの理想的な治療効果を有することができる。本実施形態の装置は、治療の期間を短縮し、早期に鎮痛を達成することができる。
【００６９】
＜第五実施形態＞
図５ａ〜図５ｃは、調整可能な経穴・器官押圧装置の第五実施形態を示す。本実施形態は、人体の頬部の押圧に対するものである。
【００７０】
本装置のロッド１の一方の端部には、ロッド１に直交する延長ロッド１１を配置することができる。第一押圧部材２を延長ロッド１１に装着することができる。調整ユニット３をロッド１の他方の端部に装着することができる。本実施形態における調整ユニット３の構造は、第一実施形態におけるものと同じである。
【００７１】
調整ユニット３のフレーム３０には、第二延長ロッド３６を設けることができる。第二押圧部材４を第二延長ロッド３６に配置することができる。第一押圧部材２および第二押圧部材４は、互いに対向している。第一延長ロッド１１上の第一押圧部材２の位置は調整可能である。第二延長ロッド３６上の第二押圧部材４の位置もまた調整可能である。これにより、本装置をより広く応用でき、それぞれの頬部が異なる多様なユーザが使用するのに適している。
【００７２】
図５ｃは、調整可能な経穴・器官押圧装置の第五実施形態の人体の頬部への応用を示す。まず、第一押圧部材２と第二押圧部材４との間の距離を調整するために、ユーザは、調整ユニット３の調整ハンドル３４を引っ張る。こうして、第一押圧部材２および第二押圧部材４を、頭部の周囲に配置することができる。頭部の周囲に第一押圧部材２および第二押圧部材４を配置した後、ユーザは、頬部への押圧力の程度を調整するよう、調整ユニット３の微調整ハンドル３１を引っ張ることができる。
【００７３】
本実施形態の装置の第一押圧部材２および第二押圧部材４は、頬部の筋肉をリラックスさせるよう、頬部の経穴および顎関節(temporomandibular joint)を押圧することができる。痛みを抑え、炎症を軽減し、筋肉をリラックスさせ、経絡を活性化する医療的効果に加えて、本実施形態の装置は、また、頬車(Jiache)経穴を押圧することにより歯痛の治療に理想的な効果を有することができる。本実施形態の装置は、治療の期間を短縮し、早期に鎮痛を達成することができる。
【００７４】
＜第六実施形態＞
図６ａおよび図６ｂは、調整可能な経穴・器官押圧装置の第六実施形態を示す。本実施形態は、人体の脚部のアキレス腱の押圧に対するものである。本実施形態における装置の構造および原理は、第一実施形態におけるものと同じである。
【００７５】
本実施形態の装置は、ロッド１と、第一押圧部材２と、調整ユニット３とを有することができる。第一押圧部材２は、ロッド１の一方の端部に装着される。調整ユニット３は、ロッド１の他方の端部に装着されるとともに、第一押圧部材２に面する第二押圧部材４が配置される。本実施形態の装置が人体の異なる一部分を押圧するために用いられるので、本実施形態の第一押圧部材および第二押圧部材の形状は、第一実施形態のものとは異なる。しかしながら、本実施形態における調整ユニット３の構造は、第一実施形態におけるものと同じである。
【００７６】
図６ｂは、調整可能な経穴・器官押圧装置の第六実施形態の人体の脚部のアキレス腱への応用を示す。使用時には、ユーザはまず、第一押圧部材２および第二押圧部材４の間の距離を調整し、第一押圧部材２および第二押圧部材４が踵のアキレス腱を押圧し、これにより、アキレス腱の強張りを取り脚部の筋肉をリラックスさせるよう、踵部分に本装置を配置する。
【００７７】
本実施形態の装置の第一押圧部材２および第二押圧部材４は、経穴を押圧し脚部のアキレス腱をリラックスさせることができる。痛みを抑え、炎症を軽減し、筋肉をリラックスさせ、経絡を活性化する医療的効果に加えて、本実施形態の装置は、また、崑崙(Kunlun)および太谿(Taixi)経穴を押圧することにより、踵のアキレス腱の痛みの治療に理想的な効果を有することができる。本実施形態の装置は、治療の期間を短縮し、早期に鎮痛を達成することができる。
【００７８】
＜第七実施形態＞
図７ａ〜図７ｃは、調整可能な経穴・器官押圧装置の第七実施形態を示す。本実施形態は、人体の四肢の刺鍼法の点(acupunctures points)の押圧に対するものである。
【００７９】
本装置は、ロッド１と、基部５と、第一押圧部材２と、調整ユニット３と、を有することができる。基部５は、ロッド１の下端に装着される。第一押圧部材２は、基部５上に配置される。調整ユニット３は、ロッド１の上端に装着される。長さを調節する伸長可能フレーム３７が、調整ユニット３に配置される。第二押圧部材４を伸長可能フレーム３７に配置することができる。伸長可能フレーム３７には、あらゆる従来の伸長可能／格納可能（extendable／retractable）の構造を採用することができる。本実施形態において、第一押圧部材２および第二押圧部材４は、経穴押圧装置の態様である。
【００８０】
第一押圧部材２および第二押圧部材４などの経穴押圧装置の本体を、硬質プラスチック材料または金属で形成することができる。軟質プラスチック材料の層を本体の表面に配置することができる。本実施形態における調整ユニット３の構造は、第一実施形態におけるものと同じである。
【００８１】
図７ｃは、調整可能な経穴・器官押圧装置の第七実施形態の人体の足の裏への応用を示す。まず、第一押圧部材２と第二押圧部材４との間の距離を調整するために、ユーザは、調整ユニット３の調整ハンドル３４を引っ張る。こうして、足部を、第一押圧部材２と第二押圧部材４との間で配置することができる。ユーザは、足裏の、足の親指と人差し指との間の足指間部分(toe web)の中央部に第一押圧部材２を配置する。それから、ユーザは、太衝(Taichong)経穴に面している足指間部分の上面に第二押圧部材４を近付け、そして、太衝経穴への押圧力を調整するよう、微調整ハンドル３１を調整する。同時に、第一押圧部材２は湧泉(Yongquan)経穴を押圧する。これにより、経穴の位置を安定して保持でき、これらの経穴を押圧することにより治療効果が得られる。
【００８２】
本実施形態の装置の第一押圧部材２および第二押圧部材４は、経穴を押圧し筋肉をリラックスさせることができる。本実施形態の装置は、痛みを緩和し、炎症を軽減し、筋肉をリラックスさせ、経絡を活性化させる医療効果を有することができる。本実施形態の装置はまた、肝臓経絡に沿った太衝経穴および腎臓経絡に沿った湧泉経穴を押圧することにより、肝臓および腎臓の衰弱や、年配者の生命エネルギーおよび血液循環の復元(replenishment)に理想的な治療効果を有することができる。本実施形態の装置は、治療の期間を短縮し、早期に鎮痛を達成することができる。
【００８３】
＜第八実施形態＞
図８ａおよび図８ｂは、調整可能な経穴・器官押圧装置の第八実施形態を示す。本実施形態は、ベッドに横たわる人体の経穴の押圧に対するものである。
【００８４】
本実施形態の装置は、ロッド１と、下部クランピングブロック８１と、上部調整ユニット３および下部調整ユニット３と、を有することができる。下部クランピングブロック８１は、ロッド１の下端に装着される。上部調整ユニット３および下部調整ユニット３は、ロッド１に装着される。下部調整ユニット３には、上部クランピングブロック８２を配置することができる。上部クランピングブロック８２および下部クランピングブロック８１は、ベッドの一方の側部に押圧装置を固定するためのクランピング装置を構成する。第二延長ロッド３６を、上部調整ユニット３に接続することができる。第二押圧部材４を第二延長ロッド３６に装着することができる。例示の実施形態において、第二押圧部材４は経穴押圧装置である。第二延長ロッド３６上の第二押圧部材４の位置は調整可能である。
【００８５】
図８ｂは、調整可能な経穴・器官押圧装置の第八実施形態の人体への応用を示す。ユーザは、うつ伏せまたは仰向けで横たわり、押圧装置がベッドの一方の側部に固定される。ユーザは、初めに上部調整ユニット３を調整することにより第二押圧部材４の位置を調整する。経穴治療を達成できるよう、経穴が適切な押圧力で第二押圧部材４によって押圧される。
【００８６】
本実施形態の装置の第二押圧部材４は、うつ伏せまたは仰向けでベッドに横たわっている人体の種々の経穴を押圧することができる。痛みを抑え、炎症を軽減し、筋肉をリラックスさせ、経絡を活性化する医療的効果に加えて、本実施形態の装置は、上かん（「かん」は「月（にくづき）」に「完」）(Shangwan)経穴を押圧することによる胃の痛みの治療と、大横(Daheng)経穴を押圧することによる大腸の機能性による便秘の治療と、に理想的な効果を有することができる。本実施形態の装置は、治療の期間を短縮し、早期に鎮痛を達成することができる。
【００８７】
本願の調整可能な経穴・器官押圧装置は、種々の態様を有し、広く応用することができる。本願の調整可能な経穴・器官押圧装置を、種々の形状の人体のいろいろな部分に適用することができる。四肢の筋肉および関節と同様に、１４の経絡に沿った主要経穴に本装置を適用することにより、若年者および年配者の疾患を治療することができる。これにより、本装置の押圧部材が、人体を押圧し、人体の両側をも押圧することができ、経絡に沿った関連する経穴を刺激し、筋膜および重要な層を回復させ、筋肉の下の血液を循環させ、そして、英気を養うことができる。器官の機能性を回復させることができ、その結果、人体における陰および陽（中国文化における自然の２つの相反する原理）のバランスを保つことができ、気（生命エネルギー）および血液をスムーズに循環させることができ、筋肉および筋膜をリラックスさせることができる。これにより、痛みを防止し取り去り、疾患を治療し、年配者の老化を防止する目的を達成することができる。本願の調整可能な経穴・器官押圧装置は、人体の血液循環に悪影響を与えない。
【００８８】
調整可能な経穴・器官押圧装置をいくつかの好ましい実施形態を特に参照して示し、説明したが、添付の実用新案登録請求の範囲から逸脱することなく種々の変形および変更を行うことができることを付言しておく。
【符号の説明】
【００８９】
１  ロッド
２  第一押圧部材
３  調整ユニット
４  第二押圧部材
５  基部
６  支持部
７  手を載せるプレート
１１  第一延長ロッド
２１  円弧状凹部
３０  フレーム
３１  微調整ハンドル
３２  微調整プレート
３３  微調整バネ
３４  調整ハンドル
３５  調整バネ
３６  第二延長ロッド
３７  伸長可能フレーム
４１  円弧状凹部
８１  下部クランピングブロック
８２  上部クランピングブロック
１００  イージー・ストレッチ・クランプ
２００  イージー・ストレッチ・クランプ
２１１  第一押圧凸部
３０１  第一開口部
３１１  トラフ
３２１  第二開口部
３４１  第三開口部
４１１  第二押圧凸部
４１２  凹状溝
【図１ａ】
0003201821.tif 000003
【図１ｂ】
0003201821.tif 000004
【図１ｃ】
0003201821.tif 000005
【図１ｄ】
0003201821.tif 000006
【図１ｅ】
0003201821.tif 000007
【図２ａ】
0003201821.tif 000008
【図２ｂ】
0003201821.tif 000009
【図３ａ】
0003201821.tif 000010
【図３ｂ】
0003201821.tif 000011
【図３ｃ】
0003201821.tif 000012
【図４ａ】
0003201821.tif 000013
【図４ｂ】
0003201821.tif 000014
【図５ａ】
0003201821.tif 000015
【図５ｂ】
0003201821.tif 000016
【図５ｃ】
0003201821.tif 000017
【図６ａ】
0003201821.tif 000018
【図６ｂ】
0003201821.tif 000019
【図７ａ】
0003201821.tif 000020
【図７ｂ】
0003201821.tif 000021
【図７ｃ】
0003201821.tif 000022
【図８ａ】
0003201821.tif 000023
【図８ｂ】
0003201821.tif 000024
【手続補正書】
【提出日】平成27年11月2日(2015.11.2)
【手続補正１】
【補正対象書類名】実用新案登録請求の範囲
【補正対象項目名】全文
【補正方法】変更
【補正の内容】
【実用新案登録請求の範囲】
【請求項１】
（ａ）ロッドと、
（ｂ）前記ロッドの第一端部に取り付けられた第一押圧部材と、
（ｃ）前記ロッドの第二端部に取り付けられた調整ユニットと、
（ｄ）前記調整ユニットに配置され、前記第一押圧部材に面する第二押圧部材と、
を備える調整可能な経穴・器官押圧装置であって、
（ｅ）前記調整ユニットが、フレームと、微調整ハンドルと、微調整プレートと、微調整バネと、を有し、前記フレームは、貫通する前記ロッドを受け付ける第一開口部を有し、前記微調整ハンドルの上端は前記フレームにヒンジ接続されており、前記微調整ハンドルには、前記ロッドが通るためのトラフが形成されており、前記微調整プレートは、前記微調整ハンドルと前記フレームとの間に装着されるとともに、前記ロッドが通るための第二開口部が形成されており、前記微調整バネは、前記微調整プレートの前記第二開口部が前記ロッドに対して傾斜し前記ロッドと係合するロック位置に、前記微調整プレートを付勢するように、前記微調整プレートと前記フレームとの間で前記ロッドに装着され、
（ｆ）前記調整ユニットは、調整ハンドルと調整バネとを更に備えており、前記調整ハンドルには、前記ロッドが通るための第三開口部が形成されており、前記調整ハンドルの上端は前記フレームにヒンジ接続されており、前記調整バネは、前記調整ハンドルの前記第三開口部が前記ロッドに対して傾斜し前記ロッドと係合するロック位置に、前記調整ハンドルを付勢するために、前記調整ハンドルと前記フレームとの間に装着されている、
調整可能な経穴・器官押圧装置。
【請求項２】
前記第一押圧部材および前記第二押圧部材にはそれぞれ、円弧状凹部が形成されており、第一押圧凸部が前記第一押圧部材の前記円弧状凹部の凹状面から突出しており、２つの第二押圧凸部が前記第二押圧部材の前記円弧状凹部の凹状面から突出しており、前記第一押圧凸部は、２つの前記第二押圧凸部間に形成された凹状溝に面している、
請求項１に記載の調整可能な経穴・器官押圧装置。
【請求項３】
前記ロッドの前記第一端部は前記ロッドに直交する第一延長ロッドを有しており、前記第一押圧部材は前記第一延長ロッドに装着されている、
請求項１に記載の調整可能な経穴・器官押圧装置。
【請求項４】
第二延長ロッドが前記フレームに接続されており、前記第二押圧部材が前記第二延長ロッドに装着されている、
請求項３に記載の調整可能な経穴・器官押圧装置。
【請求項５】
前記第一延長ロッド上の前記第一押圧部材の位置が調整可能であり、前記第二延長ロッド上の前記第二押圧部材の位置が調整可能である、
請求項４に記載の調整可能な経穴・器官押圧装置。
【請求項６】
前記第一押圧部材および前記第二押圧部材が経穴押圧装置を形成している、
請求項１に記載の調整可能な経穴・器官押圧装置。
【請求項７】
前記第一押圧部材および前記第二押圧部材は、硬質プラスチック材料または金属で形成されており、軟質プラスチック材料の層で被覆されている、
請求項１に記載の調整可能な経穴・器官押圧装置。
【請求項８】
前記ロッドの前記第一端部は基部を有し、前記第一押圧部材は前記基部に装着されている、
請求項１に記載の調整可能な経穴・器官押圧装置。
【請求項９】
前記フレームは長さ調整可能な伸長可能フレームを有しており、前記第二押圧部材は前記伸長可能フレームに装着されている、
請求項１に記載の調整可能な経穴・器官押圧装置。
【請求項１０】
支持部と、
複数の、前記支持部に装着される請求項１に記載の調整可能な経穴・器官押圧装置と、
を備える調整可能な経穴・器官押圧システム。